(57)【要約】【課題】夏期のトイレルーム内を快適なものとする。【解決手段】気化熱を奪うことで周囲温度を低下させるミストをトイレルーム内に放出するミスト放出部４を備える。該ミスト放出部は、トイレルーム内の人を検知する人検知センサー５の出力を受けてミストを放出する。【選択図】図１
2016030185.tif 000002
【特許請求の範囲】
【請求項１】
気化熱を奪うことで周囲温度を低下させるミストをトイレルーム内に放出するミスト放出部を備えるとともに、該ミスト放出部は、トイレルーム内の人を検知する人検知センサーの出力を受けてミストを放出するものであることを特徴とする便器装置。
【請求項２】
上記人検知センサーは、便座への人体着座を検知する着座センサーであることを特徴とする請求項１記載の便器装置。
【請求項３】
上記ミスト放出部の動作に連動してトイレルームの換気装置を作動させる連動手段を備えていることを特徴とする請求項１または２記載の便器装置。
【発明の詳細な説明】
【技術分野】
【０００１】
本発明は、水洗便器に関するものである。
【背景技術】
【０００２】
一般家庭におけるトイレルームは冷暖房の対象外である。もっとも冬期の寒さに対しては、暖房便座の存在や、別途小型電気暖房機の利用で、さほど問題となることはない。
【０００３】
しかし、暑さに対する対処は難しい。特許文献１に示されているように、専用空調機器を設置しても、冷房が効き出すまでの時間的遅れと、用便に要する使用時間との関係で、効果的な冷房を得ることができない。かといって、空調機器を常時運転するのは省エネルギーの点から好ましくない。
【０００４】
特許文献２に示されているように扇風機を用いることも考えられるが、トイレルーム内の暑い空気を送るだけとなるために、快適とは言い難い。
【先行技術文献】
【特許文献】
【０００５】
【特許文献１】特開２００４−１６２４９６号公報
【特許文献２】特開昭５８−２５１２８号公報
【発明の概要】
【発明が解決しようとする課題】
【０００６】
本発明は上記問題に鑑みてなされたもので、夏期のトイレルーム内を快適なものとすることができる便器装置を提供することを課題とする。
【課題を解決するための手段】
【０００７】
本発明にかかる便器装置は、気化熱を奪うことで周囲温度を低下させるミストをトイレルーム内に放出するミスト放出部を備えるとともに、該ミスト放出部は、トイレルーム内の人を検知する人検知センサーの出力を受けてミストを放出するものであることに特徴を有している。
【発明の効果】
【０００８】
本発明によれば、放出したミストが気化する際の気化熱でトイレルーム内の温度を下げるために、室温低下までの時間的遅れが少ない上に、低コストでトイレルーム内の暑さに対処することができる。
【図面の簡単な説明】
【０００９】
【図１】本発明の実施の形態の一例におけるブロック図である。
【図２】同上の便座の平面図である。
【図３】同上の動作の一例のフローチャートである。
【発明を実施するための形態】
【００１０】
本発明の便器装置は、気化熱を奪うことで周囲温度を低下させるミストをトイレルーム内に放出するミスト放出部を備えるとともに、該ミスト放出部は、トイレルーム内の人を検知する人検知センサーの出力を受けてミストを放出するものである。
【００１１】
上記人検知センサーは、便座への人体着座を検知する着座センサーであることが好ましい。
【００１２】
また、上記ミスト放出部の動作に連動してトイレルームの換気装置を作動させる連動手段を備えていることが好ましい。
【００１３】
以下、本発明を図示の実施例に基づいて詳述すると、図中１はボウル１０を内蔵する水洗式の便器であり、回動自在に支持された便座２と、同じく回動自在に支持された便蓋３とを備えている。
【００１４】
そして便器１における便蓋３にはミスト放出部４としてミストノズル４０が設けられている。ポンプ４１によって加圧された高圧水が電磁弁４２を介して供給されるミストノズル４０からトイレルーム内に放出されたミストは、その気化時に周囲から気化熱を奪うことから、トイレルーム内の室温を下げる。ミストノズル４０から放出するミストは、粒径が１０〜３０μｍであることが好ましい。このような粒径であれば、ミストに触れても濡れることがないためである。
【００１５】
図示例では、便蓋３の裏面側にミストノズル４０を配して、便蓋３を起こした状態で前方側の斜め上方に向けてミストを放出するものを示したが、便蓋３を起こした状態で上方に向けてミストを放出するものであってもよい。
【００１６】
そして、上記ミスト放出部４からのミストの放出は、手動入力によるスイッチで動作するようにしてもよいが、ここではトイレルーム内に人がいることを検知する人検知センサー５による人検知出力でミストの放出動作を始めるものとしている。
【００１７】
人検知センサー５による人検知出力を受けた制御回路６は、上記ポンプ４１を作動させると共に電磁弁４２を開いて、ミストノズル４０に高圧水を供給するものであり、ミストノズル４０は送られてきた水をミストとして放出する。そして人検知センサー５からの人検知出力がなくなった時点、あるいは人検知センサー５による人検知出力が入力された時点から所定時間が経過した時点で、制御回路６は電磁弁４２を閉じるとともにポンプ４１を停止させる。
【００１８】
上記の人検知センサー５として、図示例では便座２に配した着座センサーを用いて、便座２に着座した時点でミストの放出を開始するようにしているが、赤外線センサーを用いて、トイレルームに人が入れば直ちにこれを検知してミスト放出部４からミストを放出してもよい。放出したミストによって便座が濡れる虞がある場合は、前者のものが好ましい。
【００１９】
人検知センサー５に赤外線センサーを用いる場合、便蓋３には複数のミストノズル４０を配置するとともに、便蓋３の開閉角度に応じてミストを放出するミストノズル４０が切り換えられるようにするのも好ましい。便蓋３が閉じられている時には、便蓋３表面のミストノズル４０から上方に向けてミストを放出する。そして、便蓋３が起こされている時には、便蓋３の先端部に配したミストノズル４０から上方に向けてミストを放出するのである。
【００２０】
なお、図中６０は夏期以外でのミスト放出動作をなくすための主スイッチ、６１は手動入力によるミスト放出のためのスイッチである。制御回路６は、主スイッチ６０がオンとなっている場合、スイッチ６１のオンもしくは人検知センサー５の人検知出力により、ミスト放出動作を行わせる。なお、これらスイッチ６０，６１は、便器１の上面側や、便器１から離れたところに設置するのが好ましい。
【００２１】
ミストの放出によってトイレルーム内の湿度が上昇することに鑑み、ミスト放出時には、トイレルーム用の換気装置７を連動させることも好ましい。換気装置７の作動によるトイレルーム内の空気移動は、ミストの気化を促進させることにもなるために、湿度上昇の抑制だけでなく、トイレルーム内の冷却効果も向上する。
【００２２】
上記実施例では、ミスト放出部４として、ポンプ４１によって加圧された高圧水をミストとして放出するミストノズル４０を示したが、これに限定されるものではない。例えば、気化熱で冷却を行うことができる粒径のミストを市井水の水圧で放出することができるミストノズル４０であってもよいし、超音波霧化や静電霧化によってミストを放出するものであってもよい。つまりは、トイレルーム内へのミスト放出時の気化によってトイレルーム内の熱を奪うことでトイレルーム内の室温を低下させることができるものであれば、ミスト放出部の構成は限定されない。
【００２３】
また、ミスト放出部４が便器１（に付属する便蓋３）に設けられている必要はなく、便器１から引き出した配管でトイレルーム内の高所に位置するミスト放出部４に水を供給するようにしてもよい。
【符号の説明】
【００２４】
１  便器
２  便座
３  便蓋
４  ミスト放出部
５  人検知センサー
４０  ミストノズル
４１  ポンプ
【図１】
2016030185.tif 000003
【図２】
2016030185.tif 000004
【図３】
2016030185.tif 000005